(57)【要約】【課題】  液を含浸させて使用する清掃用物品において、常に良好な液含浸状態で清掃できるものを提供する。【解決手段】  清掃用物品１は、ホルダ２０の支持プレート２１に装着されて使用される。清掃用物品１は前記支持プレート２１に取付けられる基材シート５と清掃面２ａに現れる液透過性の表面シート６との間の収納空間７に、液を含浸させた液保持体８が着脱自在に装着される。液保持体８は自由に交換でき、また清掃しないときに外して密閉できるので、液の乾燥を防止でき、常に最適なコンディションで清掃できるようになる。【選択図】図２
2005124857.tif 000002
【特許請求の範囲】
【請求項１】
被清掃部を清掃する清掃面と、前記清掃面と逆側の把持面とを有する清掃用物品において、
前記清掃面に現れる液透過性の表面シートと、前記把持面に向けられる基材シートとを有し、前記表面シートと前記基材シートとの間に形成された収納空間内に、液体を含浸させた液保持体が装着および離脱可能とされていることを特徴とする清掃用物品。
【請求項２】
前記基材シートの一部が、前記収納空間の両側方へ延びて、ホルダへの取付け部とされている請求項１記載の清掃用物品。
【請求項３】
前記表面シートの縁部と前記基材シートの縁部との間に前記収納空間に連通する装着口が形成されており、前記液保持体が、前記装着口から前記収納空間内に向けて挿入可能とされている請求項１または２記載の清掃用物品。
【請求項４】
前記表面シートの少なくとも一部が前記基材シートから分離自在であり、前記表面シートを分離した状態で、前記液保持体が前記収納空間内に装着可能とされている請求項１ないし３のいずれかに記載の清掃用物品。
【請求項５】
前記液保持体は、前記基材シートへ向けられる裏面と、前記表面シートに向けられる表面とを有するシート状またはプレート状であり、前記液保持体は、親水性の液含浸層と補強層とを有する請求項１ないし４のいずれかに記載の清掃用物品。
【請求項６】
前記補強層は、前記裏面に設けられている請求項５記載の清掃用物品。
【請求項７】
前記補強層は液透過性であり、前記液含浸層の内部に位置している請求項５記載の清掃用物品。
【発明の詳細な説明】
【技術分野】
【０００１】
本発明は、ホルダに装着されて、または手で保持されて使用される清掃用物品に係わり、特に液を含浸した液保持体が着脱自在に装備される清掃用物品に関する。
【背景技術】
【０００２】
家屋内の床面などを清掃する清掃用物品として、不織布で形成されてホルダに取り付けて使用されるものがある。従来のこの種の清掃用物品は、乾燥状態で使用するのが一般的であり、清掃物品の清掃面に現れる繊維間で埃等を保持して除去するもの、あるいは前記清掃面に塗布された油剤で埃を吸着するものなどが一般的である。しかし、乾燥状態で使用する清掃用物品は、綿埃などを除去することはできても、床面などにこびり付いた汚れを取り去るのに限界がある。
【０００３】
そこで、以下の特許文献１には、液を含浸させて使用することを目的とした清掃用物品に関する発明が開示されている。
【０００４】
この清掃用物品は、清掃面およびホルダへの装着面のそれぞれに現れる外層と、両外層間に挟まれた内層とを有しており、前記内層がレーヨンやコットンなどの親水性繊維で所定の厚みに形成されている。そして、水分と共に界面活性剤、アルカリ剤、増粘剤、除菌剤などを含む洗浄剤を前記内層に含浸させて清掃を行うことにより、前記汚れを除去しやすくするというものである。
【特許文献１】特許第３３４９１２５号公報
【発明の開示】
【発明が解決しようとする課題】
【０００５】
しかし、前記従来の清掃用物品は、洗浄剤を内層に含浸させた状態で長時間使用しまたは放置しておくと、前記洗浄剤の水分が蒸発する。前記のように、内層に含浸させる洗浄剤が、界面活性剤やアルカリ剤、増粘剤、殺菌剤などを含むものである場合には、洗浄剤の水分が乾燥したときに、前記界面活性剤などが内層に溜まって内層がごわごわしたものになる。よって、後に新たに洗浄剤を内層に注入しても、清掃用物品の軟質性が損なわれているために、効果的な清掃効果を発揮させることができない。したがって、洗浄剤を含浸させて使用する清掃用物品は、長期間使用することができず、短期間の使用の度に廃棄して新たなものと交換することが必要である。
【０００６】
また、一定期間の使用後に、前記内層に新たに洗浄剤を注入すること自体が煩雑であり、この洗浄剤を内層に適度な量で供給することも難しく、常に良好なコンディションで清掃を行うことができない。
【０００７】
また、前記清掃用物品の内層に水だけを含浸させて使用すれば、水が乾燥したときに新たな水を注入することで繰り返しの使用が可能である。しかし、水を含浸させただけでは、床面などの汚れを効果的に除去できない。
【０００８】
本発明は上記従来の課題を解決するものであり、液体を常に適正な状態で含浸させて清掃することができ、清掃効果を高めると共に長期間の継続使用が可能な清掃用物品を提供することを目的としている。
【課題を解決するための手段】
【０００９】
本発明は、被清掃部を清掃する清掃面と、前記清掃面と逆側の把持面とを有する清掃用物品において、
前記清掃面に現れる液透過性の表面シートと、前記把持面に向けられる基材シートとを有し、前記表面シートと前記基材シートとの間に形成された収納空間内に、液体を含浸させた液保持体が装着および離脱可能とされていることを特徴とするものである。
【００１０】
前記清掃用物品は、液保持体を装着しない乾燥状態で清掃することもできるし、前記液保持体を装着して清掃することもできる。液保持体には、洗浄剤、つや出し剤など、その使用用途に応じて各種薬液を含浸させることが可能である。液保持体を装着して清掃すると、液保持体に含浸された液体が表面シートを濡らし、さらに床面などの被清掃部に与えられる。液保持体の液が無くなったときや、水分が乾燥したときには、新たな液保持体を交換して装着することにより、常に最適なコンディションで清掃することができる。
【００１１】
なお、この清掃用物品は、前記把持面をモップ状のホルダに装着して使用することができ、または厚手で小型の場合には、把持面を手で保持して清掃することも可能である。
【００１２】
本発明は、前記基材シートの一部が、前記収納空間の両側方へ延びて、ホルダへの取付け部とされているものとして構成できる。
【００１３】
また、本発明は、前記表面シートの縁部と前記基材シートの縁部との間に前記収納空間に連通する装着口が形成されており、前記液保持体が、前記装着口から前記収納空間内に向けて挿入可能とされているものである。あるいは、前記表面シートの少なくとも一部が前記基材シートから分離自在であり、前記表面シートを分離した状態で、前記液保持体が前記収納空間内に装着可能とされているものである。
【００１４】
本発明の清掃用物品に用いられる前記液保持体は、前記基材シートへ向けられる裏面と、前記表面シートに向けられる表面とを有するシート状またはプレート状であり、前記液保持体は、親水性の液含浸層と補強層とを有することが好ましい。
【００１５】
前記補強層を有するものは、剛性が高いために、前記装着口から収納空間へ挿入しやすい。
【００１６】
例えば、前記補強層は、前記裏面に設けられている。あるいは、前記補強層は液透過性であり、前記液含浸層の内部に位置しているものであってもよい。
【発明の効果】
【００１７】
本発明では、液を含浸させた液保持体を収納空間に装着し、必要に応じて交換することにより、常に最適な湿潤状態で清掃を行うことができる。
【発明を実施するための最良の形態】
【００１８】
図１は本発明の第１の実施の形態の清掃用物品１を清掃面を上向きとして示した斜視図、図２は前記清掃用物品１に液保持体を装着する状態を示す斜視図、図３は第１の実施の形態の清掃用物品１がモップ型のホルダに装着された状態を示す斜視図、図４は図３のＩＶ−ＩＶ線の断面図、図５（Ａ）（Ｂ）は、液保持体の断面図である。
【００１９】
図１に示す清掃用物品１は、縦方向（Ｙ方向）の長さ寸法が、横方向（Ｘ方向）の幅寸法よりも長い長方形である。清掃用物品１は、所定の幅寸法で縦方向に延びる清掃部２と、前記清掃部２の両側部において所定幅で縦方向に延びる取付け部３，３とを有している。前記清掃部２は、床面などの被清掃部に向けられる清掃面２ａと、前記清掃面２ａと逆側に向く把持面２ｂを有している。
【００２０】
基材シート５は、清掃用物品１と同じ面積を有しており、前記取付け部３，３は、前記基材シート５の一部で形成されている。
【００２１】
前記清掃部２では、基材シート５の表面に表面シート６が重ねられており、この表面シート６の両側部が、前記基材シート５の表面に対して縦方向に連続してまたは間欠的に接合されて、接合部６ａ，６ａが形成されている。そして、接合部６ａと接合部６ａとで挟まれた領域では、基材シート５と表面シート６との間に所定の空間容積を有する収納空間７が形成されている。この収納空間７は、横方向が所定の幅寸法で、縦方向に連続して延びており、且つ基材シート５に対する垂直方向へ所定の内幅寸法を有している。
【００２２】
Ｙ方向に向く一方の端部では、基材シート５の前縁部５ａと、表面シート６の前縁部６ｂとで囲まれた部分に、前記収納空間７に連通する装着口７ａが形成されている。また、Ｙ方向に向く他方の端部には、基材シート５の後縁部５ｂと、表面シート６の後縁部６ｃとで囲まれた装着口７ｂが同様にして形成されている。なお、前記装着口７ａのみが形成され、前記後縁部５ｂと後縁部６ｃとで収納空間７が閉じられていてもよい。
【００２３】
図２に示すように、前記装着口７ａから前記収納空間７内へ、液保持体８が装着可能で且つ離脱可能とされている。前記液保持体８は、所定の剛性を有するシート状またはプレート状であり、その一方の端部を前記収納空間７内に向けて挿入可能となっている。
【００２４】
前記基材シート５は、ポリプロピレン（ＰＰ）繊維、ポロエチレンテレフタレート（ＰＥＴ）繊維、ポリエチレン（ＰＥ）繊維などの合成樹脂繊維でスパンボンド法により形成された不織布、または前記の各種合成樹脂繊維によりメルトブロー法により形成された不織布の両面に、スパンボンド法で形成された不織布が積層された不織布積層体などで形成される。これら不織布を使用する場合に、撥水処理された液遮断性のものを使用することが好ましい。
【００２５】
また、前記基材シート５として、合成樹脂フィルムや、スパンボンド法などで形成された不織布の把持面２ｂ側の面に合成樹脂フィルムがラミネートされた複合材料などを使用することもできる。
【００２６】
前記表面シート６は、液を透過できるものであり、好ましくは清掃面２ａに細かな繊維が現れ、または繊維の端部が現れて、繊維間で埃を捕捉できる機能を発揮するものが使用される。例えば、親水処理された合成樹脂繊維とレーヨン繊維とが水流のエネルギーで交絡させられたスパンレース不織布、レーヨン繊維とパルプで形成されたスパンレース不織布、親水処理された合成樹脂繊維とレーヨン繊維およびパルプとをエアーレイド法で積層してバインダーで接合したエアーレイド不織布、レーヨン繊維とパルプで形成されたエアーレイド不織布などで形成される。あるいはスパンボンド法などで形成された不織布に多数の液透過孔を開孔させたものであってもよい。
【００２７】
図５（Ａ）（Ｂ）に示すように、液保持体８は、液体を保持可能な液含浸層１０を主体として構成されている。前記液含浸層１０は、親水性で且つ内部に微小な液滞留空間が形成されたシート状またはプレート状のものである。前記液含浸層１０は、例えば、レーヨン繊維とパルプ、またはパルプを、エアーレイド法で積層して繊維どうしをバインダーで接合させたエアーレイド不織布（エアーレイドパルプ）、レーヨン繊維でスパンレース法などで形成された不織布、レーヨン繊維にパルプやコットンを混合させた不織布などである。または、親水処理された熱融着性の合成樹脂繊維を熱風で接合させたエアースルー不織布も使用できる。あるいは、内部に連続気泡を有する親水性の発泡材料も使用可能である。
【００２８】
前記液保持体８は、清掃用物品１の収納空間７に挿入する際に、自重で大きく垂れ下がるように曲がることがなく、また端部から前記収納空間７へ向けて挿入しやすいようにある程度高い曲げ剛性を発揮できるものが好ましい。
【００２９】
そのため、図５（Ａ）に示す液保持体８は、表面シート６に向けられる表面８ａに前記液含浸層１０の一方の面が現れ、基材シート５に向けられる裏面８ｂに補強層１１が設けられている。この補強層１１は、坪量が４００ないし７００ｇ／ｍ2の合成紙であり、この合成紙が前記液含浸層１０に接着されている。また、前記補強層１１は、前記液含浸層１０の一方の面に、ＰＰ、ＰＥ、ＰＥＴなどの合成樹脂を溶融押し出し工程でラミネートして形成したもの、前記液含浸層１０の一方の面に樹脂バインダーを塗布することで形成されたものであってもよい。
【００３０】
あるいは、液含浸層１０に熱融着性の合成樹脂繊維を含ませ、または液含浸層１０の一方の面に他の領域よりも多くの熱融着性の合成樹脂繊維を含ませ、前記面に現れている前記合成樹脂繊維を熱で溶融してフィルム状とし、または繊維どうしを融着させて前記補強層１１を形成してもよい。
【００３１】
あるいは、図５（Ｂ）に示す液保持体８では、表面８ａと裏面８ｂを有する前記液含浸層１０の内部に、合成樹脂繊維や金属線材で形成された液透過性のネットが、補強層１２として含まれている。
【００３２】
前記液保持体８の曲げ剛性は、幅３８．０ｍｍの液保持体８の縦方向（Ｙ方向）に向く一端を保持し、他端に曲げ力を与え、一定の速度で１５度の角度まで曲げ、５０ｍｍの荷重長となったときの曲げモーメントとして１．２（Ｎ・ｃｍ）以上であることが好ましい（ＪＩＳ−Ｐ８１２５にて測定）。
【００３３】
また前記液含浸層１０の目付けは５０ないし２００ｇ／ｍ2の範囲であり、液含浸層１０は自重の６００ないし８００％のエタノールを吸収して保持できるものであることが好ましい。
【００３４】
次に、前記清掃用物品１の使用方法を説明する。
前記清掃用物品１は、図３と図４に示すモップ型のホルダ２０に装着されて使用される。
【００３５】
前記ホルダ２０は、支持プレート２１と、前記支持プレート２１の上面に回動自在に連結された柄２２とを有している。前記支持プレート２１の上面２１ａには一対の固定部材２３，２３が設けられている。この固定部材２３，２３は、前記柄２２の取付け部に向く基端部２３ａ，２３ａが前記本体に回動自在に連結されている。
【００３６】
図３と図４に示すように、前記清掃用物品１は、その清掃部２の把持面２ｂが、前記支持プレート２１の下面２１ｂに当てられ、清掃部２の清掃面２ａが下向とされた状態で、前記取付け部３，３が、支持プレート２１の上面２１ａに巻き上げられ、前記取付け部３，３が、前記上面２１ａと固定部材２３，２３とで挟まれた状態で固定される。
【００３７】
前記清掃用物品１は、前記収納空間７の内部に液保持体８を挿入せず、不織布で形成された表面シート６が乾燥状態のまま使用することができる。図３に示す柄２２を保持して、表面シート６で床面などを拭くと、清掃面２ａに現れている表面シート６の繊維と繊維との間で埃が捕捉される。
【００３８】
前記液保持体８は、前記収納空間７内へ装着自在で且つ交換自在のカートリッジとして機能するものである。前記液保持体８には、洗浄剤が予め含浸された状態で、プラスチック製の硬質容器の中に複数枚重ねられて密閉されている。または１枚の液保持体８または複数枚の液保持体８が、洗浄剤を含浸した状態で、樹脂フィルム製の袋の中に密閉されて収納されている。前記洗浄剤は、水に界面活性剤、アルカリ剤、増粘剤、除菌剤などが溶解されたもの、またはエタノールに界面活性剤および除菌剤などが溶解されたものなどである。
【００３９】
また、前記液保持体８は、異なる液を含浸したものが複数用意され、液の種類ごとに別々の前記容器または袋に密閉されているものであってもよい。例えば、つや出し剤を含んだ液を含浸した液保持体８と、洗浄剤を含浸した液保持体８を別々に用意することができる。
【００４０】
前記容器または袋から取り出された液保持体８は、前記清掃用物品１の装着口７ａから収納空間７内に挿入される。この挿入操作は、清掃用物品１をホルダ２０から外した状態で行ってもよいが、前記液保持体８は補強層１１，１２を有して曲げ剛性が高くなっているため、清掃用物品１をホルダ２０に装着した状態で行うことも可能である。
【００４１】
前記液保持体８を収納した清掃用物品１を装着したホルダ２０で清掃を行う際には、清掃用物品１の清掃部２の清掃面２ａを床面などの被清掃部に当てて、柄２２で支持プレート２１を被清掃部に沿って移動させる。このとき清掃用物品１の清掃面２ａに作用する圧力により、液保持体８に保持されていた液が滲み出て、表面シート６を濡らす。この状態で清掃すると、洗浄剤などを含んだ表面シート６により被清掃部の表面の汚れを効果的に除去することができる。
【００４２】
液保持体８に保持されている液が無くなったら、または液保持体８に保持されていた液が乾燥したときには、液保持体８を交換することで、常に同じコンディションで清掃作業を行うことができる。また、長期間清掃を行わないときには、清掃用物品１から液保持体８を取り出して、前記容器または袋内に戻して密閉することにより、液保持体８に含まれた液の乾燥を防止できる。
【００４３】
また、最初に洗浄剤を含浸させた液保持体８を装着して床面の汚れ落しを行った後に、つや出し剤または水性ワックスなどを含浸させた液保持体８を清掃用物品１に装着して使用することにより、汚れを落とした後の床面のつや出しを行うことも可能である。
【００４４】
図６、図７は本発明の第２の実施の形態の清掃用物品１０１を示すものであり、図６は、基材シート５を上向きにした斜視図、図７は表面シート６を上向きにした斜視図である。
【００４５】
この清掃用物品１０１は、清掃部２において、基材シート５と表面シート６との間に液保持体８を収納する収納空間７が形成されている。ただし、前記表面シート６の一方の側部は基材シート５に固定されて固定部１６が形成されているが、表面シート６の他方の縁部は、基材シート５に対して着脱自在な分離部１７となっている。前記分離部１７において、表面シート６の裏面（基材シート５に向く面）には係止ファスナー１８が設けられている。この係止ファスナー１８は細かな鉤状の突起が多数形成されているものであり、前記分離部１７を基材シート５に押し付けると、前記突起が基材シート５の繊維間に係止され、これにより分離部１７が基材シート５に止められる。なお、前記分離部１７に、係止ファスナー１８の代わりに感圧接着剤を塗布し、または感圧接着剤が塗布されたテープを固定し、基材シート５に接着固定するものであってもよい。
【００４６】
前記清掃用物品１０１は、図７に示すように、分離部１７を基材シート５から分離することで、液保持体８が収納空間７に挿入可能となる。よって液保持体８の取付けと離脱操作が容易であり、清掃用物品１０１を前記ホルダ２０の支持プレート２１に装着した状態での液保持体８の装着や交換も可能になる。
【００４７】
なお、本発明は前記実施の形態に限定されるものではない。例えば前記清掃用物品１０１において、表面シート６全体が基材シート５に着脱自在であってもよい。また、清掃用物品の形状を円形などとし、把持面に手を挿入する挿入部を形成し、清掃用物品を手で保持するものとしてもよい。
【図面の簡単な説明】
【００４８】
【図１】本発明の第１の実施の形態の清掃用物品を清掃面を上にして示した斜視図、
【図２】図１に示す清掃用物品に液保持体を挿入する操作を示す斜視図、
【図３】清掃用物品がホルダに装着された状態を示す斜視図、
【図４】図３のＩＶ−ＩＶ線の断面図、
【図５】（Ａ）（Ｂ）は、補強層を有する液保持体を実施の形態別に示す断面図、
【図６】第２の実施の形態の清掃用物品を、把持面を上に向けて示す斜視図、
【図７】第２の実施の形態の清掃用物品を、清掃面を上に向けて示す斜視図、
【符号の説明】
【００４９】
１，１０１  清掃用物品
２  清掃部
２ａ  清掃面
２ｂ  把持面
３  取付け部
５  基材シート
６  表面シート
７  収納空間
７ａ  装着口
８  液保持体
１０  液含浸層
１１，１２  補強層
１７  分離部
２０  ホルダ
２１  支持プレート
【図１】
2005124857.tif 000003
【図２】
2005124857.tif 000004
【図３】
2005124857.tif 000005
【図４】
2005124857.tif 000006
【図５】
2005124857.tif 000007
【図６】
2005124857.tif 000008
【図７】
2005124857.tif 000009